(57)【要約】【課題】  建築現場などにおける美観を損なうことなく、仮設トイレ周囲の通気性を良好とする仮設トイレ用囲いを提供することを目的とする。【解決手段】  本発明の仮設トイレ用囲いＡは、複数本の支柱１ａ〜１ｊと、この支柱間に設けられる一又は複数のルーバーパネル２，３とを備える。各ルーバーパネル２，３は、上下方向に隙間を保持して並列して設けられる複数の横桟２ａと、左右少なくとも一端辺に沿って設けられる取付穴２ｂとを有しており、横桟２ａが外側に向かって斜め下向きとなるように、取付穴２ｂに支柱１ａ〜１ｊを通して支持される。【選択図】      図１
2006070457.tif 000002
【特許請求の範囲】
【請求項１】
一又は複数個のボックス型トイレからなる仮設トイレ用の囲いであって、
複数本の支柱と、この支柱間に設けられる一又は複数のルーバーパネルとを備え、
前記各ルーバーパネルは、上下方向に隙間を保持して並列して設けられる複数の横桟と、左右少なくとも一端辺に沿って設けられる取付穴とを有し、
前記各ルーバーパネルは、前記横桟が外側に向かって斜め下向きとなるように、前記取付穴に前記支柱を通して支持されることを特徴とする仮設トイレ用囲い。
【請求項２】
前記仮設トイレの前方に、仮設トイレと離隔して前記支柱を立設して前記ルーバーパネルを設けたことを特徴とする請求項１に記載の仮設トイレ用囲い。
【発明の詳細な説明】
【技術分野】
【０００１】
本発明は、建築現場などで使用される仮設トイレ用の囲いに関するものである。
【背景技術】
【０００２】
建築現場などにおいては、作業員などが使用する仮設トイレが設置されている。ところで、建築現場で仮設トイレを剥き出し状態で設置する場合は、周囲の環境に悪影響を及ぼし、特に密集した住宅地などでは近隣住民に不快感を与える。これを解消することを目的として、従来、仮設トイレの周囲を、シートで覆うものが提案されている（特許文献１参照）。
【特許文献１】特開２００４−７６４８０号公報
【発明の開示】
【発明が解決しようとする課題】
【０００３】
しかし、上記で開示されている仮設トイレの囲いでは、仮設トイレを通気性の悪いビニールシートで覆うため、臭いがこもってしまうという問題が生じた。
【０００４】
本発明は、かかる事情に鑑みてなされたものであり、建築現場などにおける美観を損なうことなく、仮設トイレ周囲の通気性を良好とする仮設トイレ用囲いを提供することを目的とする。
【課題を解決するための手段】
【０００５】
上記の課題を解決するため、本発明の仮設トイレ用囲いは、一又は複数個のボックス型トイレからなる仮設トイレ用の囲いであって、複数本の支柱と、この支柱間に設けられる一又は複数のルーバーパネルとを備え、前記各ルーバーパネルは、上下方向に隙間を保持して並列して設けられる複数の横桟と、左右少なくとも一端辺に沿って設けられる取付穴とを有し、前記各ルーバーパネルは、前記横桟が外側に向かって斜め下向きとなるように、前記取付穴に前記支柱を通して支持されることを特徴とする。
【０００６】
また、好ましくは上記の構成に加えて、前記仮設トイレの前方に、仮設トイレと離隔して前記支柱を立設して前記ルーバーパネルを設けたことを特徴とする仮設トイレ用囲いである。
【発明の効果】
【０００７】
本発明の仮設トイレ用囲いによれば、建築現場などにおける美観を損なうことなく、仮設トイレ周囲の通気性を良好にすることができる。
【発明を実施するための最良の形態】
【０００８】
以下、本発明に係る仮設トイレ用囲いを図面に基づいて説明するが、本発明はこれらの実施例に記載されたもののみに限定されるものではない。
【０００９】
図１、は本発明の第一実施例を示す仮設トイレ用囲いＡの使用状態を示す前方から見た斜視図であり、図２は、この仮設トイレ用囲いＡの使用状態を示す後方から見た斜視図であり、図３は、この仮設トイレ用囲いＡの使用状態を示す横断面図である。これらの図に示すように、仮設トイレ用囲いＡは、支柱１ａ〜１ｊと、これらの支柱間に設けられる複数のルーバーパネル２，３とを備える。これらの図に示すように、本実施例では、支柱１ａ〜１ｊは、ルーバーパネル２，３が仮設トイレＣの各側面に対向するように配置されている。
【００１０】
本実施例における仮設トイレＣは、従来公知の構造で、一個のボックス型トイレからなり、出入用の前扉Ｄと、前扉Ｄが取り付けられる前枠ＦＦと、前枠ＦＦの両側から後方に延設される左右の側板ＳＰ，ＳＰと、この側板ＳＰ，ＳＰの後部側に前枠ＦＦと対向状に取り付けられる後板ＲＰと、天板ＣＰを有している。また、仮設トイレＣの内部には、便器Ｐが設置され、その下部にタンクＴが設置されており、このタンクＴの後部に汲取り口Ｍが設けられている。
【００１１】
仮設トイレ用囲いＡは、仮設トイレＣの前方に、仮設トイレＣと離隔して立設する支柱１ａ，１ｂと、仮設トイレＣの後面に隣接して立設する支柱１ｃ，１ｄと、仮設トイレＣの左側面に隣接して立設する支柱１ｅ，１ｆ，１ｇと、仮設トイレＣの右側面に隣接して立設する支柱１ｈ，１ｉ，１ｊとを備えている。
【００１２】
また、仮設トイレ用囲いＡは、支柱１ａと支柱１ｂの間に設けられ、仮設トイレＣの前面を覆う３枚のルーバーパネル２と、支柱１ｃと支柱１ｄの間に設けられ、仮設トイレＣの後面を覆う２枚のルーバーパネル２と、支柱１ｅと支柱１ｆの間に設けられ、仮設トイレＣの左側面前方部を覆う４枚のルーバーパネル２と、支柱１ｆと支柱１ｇの間に設けられ、仮設トイレＣの左側面後方部を覆う４枚のルーバーパネル３と、支柱１ｈと支柱１ｉの間に設けられ、仮設トイレＣの右側面前方部を覆う４枚のルーバーパネル２と、支柱１ｉと支柱１ｊの間に設けられ、仮設トイレＣの右側面後方部を覆う４枚のルーバーパネル３とを備えている。
【００１３】
このように、本実施例では、仮設トイレＣの後面及び左右の側面を覆うルーバーパネル２，３は、設置スペースを小さくする観点から、仮設トイレＣに隣接して配置され、仮設トイレＣの前面を覆うルーバーパネル２は、仮設トイレＣへの出入りをスムーズにし、かつ、前扉Ｄの開閉の障害とならないようにする観点から、仮設トイレＣと離隔して配置されている。なお、本実施例では、仮設トイレＣのほぼ全側面をルーバーパネルで覆う構成とされているが、仮設トイレＣの側面に壁が存在する場合等は、全ての側面をルーバーパネルで覆う必要はない。
【００１４】
図４(ａ) は、本実施例のルーバーパネル２の正面図であり、図４(ｂ) は、ルーバーパネル２の底面図であり、図４(ｃ)は、ルーバーパネル２の左側面図である。ルーバーパネル２は、プラスチック製であり、上下方向に隙間を保持して斜め下向きに並列して設けられる複数の横桟２ａと、左右の両端辺に沿って形成される取付穴２ｂとを備えている。また、ルーバーパネル２の上端縁及び下端縁の左右方向中央付近には、上下方向にルーバーパネル２同士を連結する４個の螺子穴２ｃが形成されている。
【００１５】
仮設トイレＣの左右の側面の後方部を覆うルーバーパネル３は、上記のルーバーパネル２の左右方向中央付近（図４(ａ)のＸ−Ｘ）で、左右両端辺と略平行に切断されて形成されたものである。このように、ルーバーパネル２を所望の大きさに切断して継ぎ足すことにより、既存のルーバーパネル２では、仮設トイレＣの側面を覆いきれない場合にも対応させることができる。
【００１６】
図１〜２に示すように、各ルーバーパネル２，３は、横桟２ａが、外側に向かって斜め下向きとなるように支柱間に設けられている。このような構成にすることにより、仮設トイレ用囲いＡの外側からは、内側に設置される仮設トイレＣが見えず、建築現場における美観を損なうことがない。また、各ルーバーパネル２，３には、隙間が形成されているので、仮設トイレＣ周囲の通気性を良好とし、臭いもこもらない。さらには、仮設トイレ用囲いＡの内側からは、適度に外の景色が見えるので、圧迫感がなく、内側からの美観にも優れたものとなる。
【００１７】
図１及び図２に示すように、仮設トイレＣの左右の側面は、それぞれ、設置面から仮設トイレＣの上部にかけてほぼ全体が、４枚のルーバーパネル２と４枚のルーバーパネル３とで覆われている。一方、仮設トイレＣの前面は、前扉Ｄのみがほぼ完全に隠れるように、３枚のルーバーパネル２で覆われている。また、仮設トイレＣの後面は、２枚のルーバーパネル２で、その上部のみが覆われており、仮設トイレＣの後面側下部に設けられたタンクＴの汲取り口Ｍの開放を容易に行うことができる構成とされている。このように、設置状況、使用状況等に応じて、各側面を覆うルーバーパネルの枚数を適宜設定すればよい。
【００１８】
また、本実施例では、各ルーバーパネル２，３は、螺子穴２ｃを介して、図示しないボルトとナットにより、上下に位置するルーバーパネル２，３と連結され、一連一体とされているが、支柱間に複数枚のルーバーパネルを設ける場合は、常に連設する必要はなく、設置状況、使用状況等に応じて、各ルーバーパネルを離隔して設けてもよい。
【００１９】
図５は、図２におけるａ部の拡大図であり、支柱１ａ−１ｂ間に設けられ、一番下方に位置するルーバーパネル２の支持構造を示す図である。また、図６は、図５におけるＹ−Ｙ断面図である。これらの図に示すように、ルーバーパネル２は、支持具４を介して、支柱１ａ−１ｂ間に、設置面と離隔して設けられている。
【００２０】
図７は、支持具４の外観斜視図である。支持具４は、板材４ａと、板材４ａの前辺及び後辺に沿って上方に延出する延出片４ｂ，４ｂとを備えており、断面コ字形状材とされている。そして、この延出片４ｂ，４ｂ間にルーバーパネル２が挟まれる構成とされている。
【００２１】
また、支持具４は、板材４ａの左右両端部から下方に突出するように設けられた締付部４ｃ，４ｃを備えており、この締付部４ｃ，４ｃの外側には締付用螺子４ｆ，４ｆを挿通させる穴４ｄ，４ｄが形成されている。そして、板材４ａには、締付部４ｃ，４ｃの位置に対応して、穴４ｅ，４ｅが形成されており、この穴４ｅ，４ｅに、支柱１ａ，１ｂが挿通され、図５に示すように、締付用螺子４ｆ，４ｆにより、支柱１ａ，１ｂに支持具４を固定させている。ここで、図示しないが、支柱１ａ，１ｂには、それぞれ、締付用螺子４ｆ，４ｆを挿通させる螺子穴が設けられている。ここで、それぞれの支柱に、ルーバーパネル上下方向の長さに相当する間隔置きに、予め螺子穴を複数個設けられるのが好ましい。このような構成にすることにより、支柱間に設けられるルーバーパネルの配置にバリエーションをもたせることができる。なお、本実施例では、締付部４ｃ，４ｃは、支柱に支持具をより強固に固定させる観点から、筒材とされているが、板材４ａの左右の両端辺から下方に延出する延出部を設ける構成等としてもよい。また、筒材の形状は、挿通させる支柱の形状に応じて、適宜設定すればよい。
【００２２】
さらに、板材４ａには、ルーバーパネル２の４個の螺子穴２ｃの位置に対応して、４個の螺子穴４ｇが形成されており、図５及び図６に示すように、支持具４とルーバーパネル２が、ボルトとナットにより、連結されている。このような構成にすることにより、支持具４に支えられているルーバーパネル２が上下に動くことがなく、しっかりと固定される。このように、支持具４を用いることで、ルーバーパネルを設置面と離隔して、支柱間に設けることができる。
【００２３】
図８は、仮設トイレＣの左右の側面を覆うルーバーパネル２，３を支持する支持具５を示す外観斜視図である。支持具５は、板材５ａと、板材５ａの前辺及び後辺に沿って上方に延出する延出片５ｂ，５ｂとを備えており、断面コ字形状材とされている。そして、延出片５ｂ，５ｂ間にルーバーパネル２及びルーバーパネル３が挟まれる構成とされている。また、支持具５は、板材５ａの左右両端部及び長さ方向中途部から下方に突出するように設けられた締付部５ｃ，５ｄ，５ｅを備えており、この締付部５ｃ，５ｄ，５ｅの外側には締付用螺子を挿通させる穴が形成されている。そして、板材５ａには、締付部５ｃ，５ｄ，５ｅの位置に対応して、穴５ｆ，５ｇ，５ｈが形成されており、この穴５ｆ，５ｇ，５ｈに、それぞれ、支柱１ｅ(１ｈ)，１ｆ(１ｉ)，１ｇ(１ｊ)が挿通される。さらに、板材５ａには、ルーバーパネル２の４個の螺子穴２ｃの位置に対応して、４個の螺子穴５ｉが、穴５ｆと穴５ｇの間に形成されており、ルーバーパネル３の２個の螺子穴２ｃの位置に対応して、２個の螺子穴５ｊが、穴５ｇと穴５ｈの間に形成されている。図１〜２に示すように、仮設トイレＣの左右の側面を覆うルーバーパネル２，３と支柱１ｅ〜１ｊとは、支持具５を用いて下方からも上方からも固定されている。
【００２４】
また、本実施例では、前扉Ｄの開閉の障害とならないように、前扉Ｄの開閉軸側である、仮設トイレＣの左側面前方部に隣接して立設する支柱１ｅの前方に、支柱１ｅと隣接して支柱６ａが立設され、仮設トイレＣの左前方に立設する支柱１ａの左側に隣接して支柱６ｂが立設され、支柱６ａと支柱６ｂの間に３枚のルーバーパネル２が連設されている。このように、仮設トイレＣの後面及び右側面前方部を覆うルーバーパネル２と、前方に離隔して配置されて前面を覆うルーバーパネル２との間を連結するように、ルーバーパネル２を設けることで、より確実に、仮設トイレＣを覆い、建築現場における美観を向上させることができる。
【００２５】
図９は、図２におけるｂ部の拡大斜視図であり、図３のｃ部に相当する。図９に示すように、仮設トイレＣの左側面後方部に隣接して立設される支柱１ｇと、支柱１ｇに隣接し、かつ、仮設トイレＣの後面に隣接して立設される支柱１ｃとは、支持台７を介して、杭８を設置面に打ち込むことにより固定されている。
【００２６】
図１０は、支持台７の外観斜視図である。支持台７は、後述する支持台９とほぼ同様の構成であり、Ｔ字状の板材７ａと、この板材７ａの中央の延出部に設けられた筒材７ｂと、左右の延出部に設けられた筒材７ｃ，７ｄとを備えている。そして、左右いずれか一方の延出部に設けられた筒材７ｄの位置に対応して、板材に穴が形成されており、筒材７ｂ，７ｃには、それぞれ支柱１ｇ，１ｃが挿入され、筒材７ｄには、杭８が挿入される構成となっている。このように、筒状の部材を採用することで、支柱の位置決めを確実に行うことができ、さらには、板材７ａに、支柱１ｇ，１ｃの下面を当接させる構成とすることにより、筒材７ｂ，７ｃに挿入する支柱の高さを揃えることができる。また、このような支持台を用いることで、隣り合う支柱同士を一体化して、仮設トイレ用囲いＡを強固な構造とするとともに、支柱に隣接して杭８を打ち込むことができ、仮設トイレ用囲いＡの設置スペースをコンパクトにすることができる。なお、本実施例では、筒材７ｂ，７ｃ，７ｄは円筒状とされているが、支柱や杭の形状に応じて適宜変更してもよい。
【００２７】
また、支持台７の各筒７ｂ，７ｃ，７ｄには、それぞれ支柱、杭を横方向から締め付ける締付具（蝶螺子）７ｅ，７ｆ，７ｇが設けられている。このような構成にすることで、支柱を支持台にしっかりと固定することができ、仮設トイレ用囲いＡをより強固な構造することができる。
【００２８】
図１１は、図３におけるｄ〜ｇ部に用いられる支持台９の拡大斜視図であり、図１２は支持台９の平面図である。支持台９は、Ｔ字状の板材９ａと、この板材９ａの中央の延出部に設けられた筒材９ｂと、左右の延出部に設けられた筒材９ｃ，９ｄとを備えている。そして、中央の延出部に設けられた筒材９ｂの位置に対応して、板材に穴９ｅが形成されており、左右の延出部に設けられた筒材９ｃ，９ｄには、それぞれ支柱が挿入され、中央の延出部に設けられた筒材９ｂには、杭が挿入される構成となっている。支持台９の各筒材９ｂ，９ｃ，９ｄには、それぞれ支柱、杭を横方向から締め付ける締付具（蝶螺子）９ｆ，９ｇ，９ｈが設けられている。
【００２９】
また、図１２に示すように、板材９ａにおいて、支柱が挿入される筒材９ｃ，９ｄの左右両端部に対応する位置には、穴９ｉ，９ｉが形成されており、中央部が当接片９ｊとされている。この場合、図示しないが、挿入する支柱の下面に、当接片９ｊと係合する溝を形成することにより、支柱が回転するのを防止することができる。
【００３０】
なお、支持台の筒材の配置や数、板材の形状、締付具の取付位置は、特に限定されるものではなく、支柱の数、ルーバーパネルの取付位置、仮設トイレ用囲いの設置環境等に応じて、適宜設定すればよい。また、本実施例では、杭を設置面に打ち込んで、仮設トイレ用囲いを設置面に固定させているが、コンクリート面等に仮設トイレを設置する場合は、杭打ちを省略することができる。なお、この場合は、支持台に杭用の筒材を設ける必要はない。
【００３１】
図１３は、図１のｈ部の拡大図であり、図３におけるｉ部に相当する。図１３に示すように、仮設トイレＣの前枠ＦＦに取り付けられた連結具１０と、支柱１ｅから内側に延出する保持具１１とを介して、仮設トイレＣと仮設トイレ用囲いＡが連結されている。図１３に示すように、連結具１０は、前方に開口したコ字形状で、その右側面が塞がれた形状とされ、その中央片１０ａには、ボルト１２ａが差し込まれる穴１０ｂが形成されており、ボルト１２ａとナット１２ｂにより、仮設トイレＣの前枠ＦＦの端部に取り付けられている。一方、保持具１１は、板状とされ、その片端に支柱１ｅを通す穴１１ａが形成されている。図１３に示すように、本実施例では、保持具１１は、ルーバーパネル２，２間に挟まれて、支柱１ｅに固定されており、連結具１０の上方に位置している。
【００３２】
連結具１０の上壁１０ｃ及び下壁１０ｄには、それぞれ対向した位置に穴１０ｅ，１０ｆが形成されており、保持具１１にも、連結具１０の穴１０ｅ，１０ｆと対向する位置に、穴１１ｂが形成されている。そして、連結具１０の下方から、穴１０ｆ、穴１０ｅ、穴１１ｂに頭付きのボルト１３ａを挿通させ、連結具１０の上面でナット１３ｂを螺締し、保持具１１の下面でナット１３ｃを螺締し、さらに、保持具１１の上面でナット１３ｄを螺締して、仮設トイレＣと仮設トイレ用囲いＡとが連結されている。また、連結具１０の右側面の覆い１０ｇは、ルーバーパネル２と当接し、位置決めとしての役割を果たす。なお、本実施例では、仮設トイレＣと仮設トイレ用囲いとの連結を強固にする観点から、連結具をコ字形状としたが、Ｌ字形状としてもよい。なお、図３のｊ部においても同様の構成とされている。
【００３３】
また、仮設トイレ用囲いＡには、図３において二点鎖線で示すように、仮設トイレＣの前面を覆うルーバーパネル２を支持する支柱１ｂと、仮設トイレＣの右側面を覆うルーバーパネル２を支持する支柱１ｅとを連結するクロス杆１４ａと、仮設トイレＣの前面を覆うルーバーパネル２を支持する支柱１ａと、仮設トイレＣの右側面前方部に隣接して立設する支柱１ｈの前方に隣接して立設される支柱６ｃとを連結するクロス杆１４ｂが設けられている。このように、仮設トイレＣの前方に離隔して立設される支柱１ａ，１ｂと、仮設トイレＣに隣接して立設される支柱とを連結することで、仮設トイレ用囲いＡを一体化させ、強固な構造にすることができる。
【００３４】
さらに、図１〜２に示すように、仮設トイレＣの後面を覆うルーバーパネル１を支持する支柱１ｃと支柱１ｄとが上部においてリヤ杆１５により連結され、支柱１ｅと支柱６ａと支柱６ｂとが、上部においてサイド杆１６ａにより連結され、支柱１ｈと支柱６ｃと支柱１ｂとが、上部においてサイド杆１６ｂにより連結されている。
【００３５】
図１４は、図１におけるｋ部の拡大図である。図１４に示すように、サイド杆１６ａの前端部には、左方向に延出する延出部１６ｃが設けられ、その延出部１６ｃには、支柱１ａを挿通させる穴が形成されており、隣接する支柱１ａと支柱６ｂとが上部において連結されている。このように、クロス杆、リヤ杆及びサイド杆を用いて支柱同士を上部においても連結をすることで、支柱のぐらつきを防止し、仮設トイレ用囲いＡを一体化させ、仮設トイレ用囲いＡがより強固な構造となる。
【００３６】
次に、以上の構成とした仮設トイレ用囲いＡを設置する場合の手順について説明する。先ず、建築現場などで仮設トイレ用囲いＡを組み立てるときには、予めルーバーパネル２，３に支柱１ａ〜１ｊ，６ａ〜６ｃを通し、支柱とルーバーパネル，ルーバーパネル同士を支持具、螺子等で固定させておく。その後、仮設トイレＣの前端部において、仮設トイレＣと仮設トイレ用囲いＡとの連結を行いつつ、支持台７，９等を用いて支柱１ａ〜１ｊ，６ａ〜６ｃを設置面に固定させる。次いで、クロス杆１４ａ，１４ｂ、リヤ杆１５、サイド杆１６ａ，１６ｂを取り付ける。
【００３７】
ここで、ルーバーパネル２，３は、軽量であるので、組立作業を容易に行うことができ、不使用時には、ルーバーパネル２，３と支柱１ａ〜１ｊを分解して、コンパクトにまとめることができ、移動させる際にも便利である。さらに、ルーバーパネル２，３は、錆びることがなく、水洗いも可能であるので、長期間使用することができる。
【００３８】
以上、説明したように、仮設トイレ用囲いＡは、ルーバーパネル２，３で仮設トイレＣを四方から囲むので、建築現場における美観を損なうことなく、仮設トイレ周囲の通気性を良好とすることができる。また、ルーバーパネルは、フラット状のパネルに比べて風の抵抗が少なく、強風に対する支え等の補強が簡単で済む。
【００３９】
図１５は、本発明の第二実施例を示す仮設トイレ用囲いＢの使用状態を示す横断面図である。
【００４０】
仮設トイレＥは、ボックス型トイレＥ１，Ｅ２，Ｅ３と男性専用の仮設トイレＥ４を左右に連設して構成されている。本実施例では、一番端に位置するボックス型トイレＥ１が女性用とされ、残りの３個のボックス型トイレＥ２，Ｅ３，Ｅ４が男性用とされている。
【００４１】
仮設トイレ用囲いＢは、仮設トイレＥの前方に、仮設トイレＥと離隔して立設する支柱１７ａ〜１７ｌと、仮設トイレＥの後面に隣接して立設する支柱１７ｍ〜１７ｔと、仮設トイレＥの左側面に隣接して立設する支柱１７ｕ〜１７ｗと、仮設トイレＥの右側面に隣接して立設する支柱１７ｘ〜１７ｚとを備えている。
【００４２】
支柱１７ａ−１７ｂ間、支柱１７ｃ−１７ｄ間、支柱１７ｅ−１７ｆ間、支柱１７ｇ−１７ｈ間、支柱１７ｉ−１７ｊ間及び支柱１７ｋ−１７ｌ間には、それぞれ３枚ずつルーバーパネル２が設けられ、仮設トイレＥの前面を覆っている。そして、支柱１７ｍ−１７ｎ間、支柱１７ｏ−１７ｐ間、支柱１７ｑ−１７ｒ間及び支柱１７ｓ−１７ｔ間には、それぞれ２枚ずつルーバーパネル２が設けられ、仮設トイレＥの後面を覆っている。そして、支柱１７ｕ−１７ｖ間には、４枚のルーバーパネル２が設けられ、仮設トイレＥの左側面前方部を覆い、支柱１７ｖ−１７ｗ間には、４枚のルーバーパネル３が設けられ、仮設トイレＥの左側面後方部を覆っている。そして、支柱１７ｘ−１７ｙ間には、４枚のルーバーパネル２が設けられ、仮設トイレＥの右側面前方部を覆い、支柱１７ｙ−１７ｚ間には、４枚のルーバーパネル３が設けられ、仮設トイレＥの右側面後方部を覆っている。なお、図１５に示すように、本実施例では、仮設トイレＥの前面を、仮設トイレＥの前面に比べて広めに覆っている。
【００４３】
また、本実施例では、仮設トイレＥの左前方に立設する支柱１７ａの左側に隣接して支柱１８ａが立設され、支柱１８ａの後方に支柱１８ａと対向して支柱１８ｂが立設されている。また、支柱１８ｂの後方に、支柱１８ｂと隣接して支柱１８ｃが立設され、支柱１８ｃの後方に支柱１８ｃと対向して支柱１８ｄが立設されている。そして、支柱１８ａ−１８ｂ間、支柱１８ｃ−１８ｄ間には、それぞれ、３枚のルーバーパネル２が設けられている。さらに、仮設トイレＥの右前方に立設する支柱１７ｌの右側に隣接して支柱１８ｅが立設され、支柱１８ｅの後方に支柱１８ｅと対向して支柱１８ｆが立設されている。また、支柱１８ｆの後方に、支柱１８ｆと隣接して支柱１８ｇが立設され、支柱１８ｇの後方に支柱１８ｇと対向して支柱１８ｈが立設されている。そして、支柱１８ｅ−１８ｆ間、支柱１８ｇ−１８ｈ間には、それぞれ、３枚のルーバーパネル２が設けられている。このような構成にすることにより、より確実に、仮設トイレＥを覆い、建築現場における美観を向上させることができる。
【００４４】
さらに、本実施例では、ボックス型トイレＥ１とボックス型トイレＥ２の間を仕切るため、支柱１７ｄと支柱１７ｅの後方で、支柱１７ｄと支柱１７ｅに隣接して支柱１９ａが立設され、支柱１９ａの後方に支柱１９ａと対向して支柱１９ｂが立設されている。また、支柱１９ｂの後方に、支柱１９ｂと隣接して支柱１９ｃが立設され、支柱１９ｃの後方に支柱１９ｃと対向して支柱１９ｄが立設されている。そして、支柱１９ａ−１９ｂ間、支柱１９ｃ−１９ｄ間には、それぞれ、３枚のルーバーパネル２が連設されている。そして支柱１９ａ−１９ｂ間及び支柱１９ｃ−１９ｄ間のルーバーパネル２は、男性用仮設トイレに向かって斜め下向きとなるように設けられている。このような構成にすることにより、男性用トイレＥ２〜Ｅ４側からは、女性用トイレＥ１側が見えず、女性が安心してトイレＥ１を使用することができる。
【００４５】
本実施例では、図１５において二点鎖線で示すように、仮設トイレＥの前方に離隔して立設する支柱(１７ａ〜１７ｌ等)と、この支柱と対向して仮設トイレＥに隣接して立設する支柱（１７ｍ〜１７ｘ等）とが、上部においてサイド杆２０で連結されている。このように、サイド杆で前後の支柱同士を連結することで、仮設トイレ用囲いＢを一体化させ、強固な構造にすることができる。なお、サイド杆を支持し、仮設トイレ用囲いＢをより強固な構造にする観点から、図１４に示し説明したように、水平方向に配置されたサイド杆に延出部を適宜設け、この延出部に垂直方向に穴を形成し、この穴に支柱を挿通させて立設させてもよい。
【００４６】
また、図１５において二点鎖線で示すように、適宜、仮設トイレＥより前方に立設する支柱同士や、仮設トイレＥより前方に立設する支柱と仮設トイレＥに隣接して立設される支柱とが、上部においてクロス杆２１で連結されている。このように、支柱同士を上部においても連結をすることで、支柱のぐらつきを防止し、仮設トイレ用囲いＢを一体化させ、仮設トイレ用囲いＢがより強固な構造となる。
【００４７】
なお、仮設トイレＥのような、集合型のトイレは、建築現場だけでなく、イベント会場等にも好適に用いられ、本発明の仮設トイレ用囲いは、イベント会場等の美観向上にも役立つ。
【図面の簡単な説明】
【００４８】
【図１】本発明の第一実施例に係る仮設トイレ用囲いの使用状態を、前方から見た斜視図である。
【図２】図１に示す仮設トイレ用囲いの使用状態を、後方から見た斜視図である。
【図３】図１に示す仮設トイレ用囲いの使用状態を示す横断面図である。
【図４】(ａ) は、ルーバーパネルの正面図であり、 (ｂ) は、ルーバーパネルの底面図であり、 (ｃ)は、ルーバーパネルの左側面図である。
【図５】図２におけるａ部の拡大図である。
【図６】図５におけるＹ−Ｙ断面図である。
【図７】図５に示す支持具の外観斜視図である。
【図８】支持具の外観斜視図である。
【図９】図２におけるｂ部の拡大斜視図である。
【図１０】図９に示す支持台の外観斜視図である。
【図１１】図３におけるｄ〜ｇ部に用いられる支持台の拡大斜視図である。
【図１２】図１１に示す支持台の平面図である。
【図１３】図１のｈ部の拡大図である。
【図１４】図１４は、図１におけるｋ部の拡大図である。
【図１５】本発明の第二実施例に係る仮設トイレ用囲いの使用状態を示す横断面図である。
【符号の説明】
【００４９】
１ａ〜１ｊ  支柱
２  ルーバーパネル
３  ルーバーパネル
４  支持具
５  支持具
６ａ〜６ｃ  支柱
７  支持台
８  杭
９  支持台
１０  連結具
１１  保持具
１４ａ，１４ｂ  クロス杆
１５  リヤ杆
１６ａ、１６ｂ  サイド杆
１７ａ〜１７ｚ  支柱
１８ａ〜１８ｈ  支柱
１９ａ〜１９ｄ  支柱
２０  サイド杆
２１  クロス杆
Ａ    仮設トイレ用囲い
Ｂ    仮設トイレ用囲い
Ｃ    仮設トイレ
Ｅ    仮設トイレ
【図１】
2006070457.tif 000003
【図２】
2006070457.tif 000004
【図３】
2006070457.tif 000005
【図４】
2006070457.tif 000006
【図５】
2006070457.tif 000007
【図６】
2006070457.tif 000008
【図７】
2006070457.tif 000009
【図８】
2006070457.tif 000010
【図９】
2006070457.tif 000011
【図１０】
2006070457.tif 000012
【図１１】
2006070457.tif 000013
【図１２】
2006070457.tif 000014
【図１３】
2006070457.tif 000015
【図１４】
2006070457.tif 000016
【図１５】
2006070457.tif 000017